(57)【要約】      （修正有）【課題】従来の高温蒸気の噴き出しに依る発電方法とは全く違いよって炭酸ガス、地球の温暖化等とは無縁の発電方法であり、海中空間を利用すれば海上海中部分にほぼ定位置に設置する事は明石、鳴門大橋等々に使用された投石入敷石設置方法等より考えれば、より簡単に海上、海中部分に確実に設置が出来るものであり、今後短時間で大きく発展する事となる海中発電となる。海中での湿気の排除を完壁に行ない漏電等の無い様に全電源の全発電量に於いて確実に海上海中部分での発電を行なう事とする。【解決手段】もし漏電等が完全に施工出来るのであれば陸上部分での発電と全く遜色が無く又殆んどが箱型船となる為に普及は大変に速い形で発展する事となる。【選択図】図３
2013238217.tif 000002
【特許請求の範囲】
【請求項１】
本申請「ドラム缶式回転うねり筒」は海上大気圧部分設置の海上船内部分からの海中船内設置「排水室（Ｈ）」内の１気圧部分えの降下流水海水の落下途中に各々設置がされた「ドラム缶式回転うねり筒」より排出される排水の活用を図る「各回転扇発電機」「排出用回転扇」「内側筒回転放出２本うねり筒」「外筒回転放出流うねり扇」「海中空間」部分、「排出水圧海中軽減喫水筒」等の設置を行ない、同時に本「ドラム缶式回転うねり筒」に連結された海上海中船内の海上部分に向けて設置がされた各々回転発電ギア等の連結設置を行ない、海上船内部分で「ドラム缶式回転うねり筒」
2013238217.tif 000006
海上海中部分に設置がされた「ドラム缶式回転うねり筒」内の各々大気圧内を上から下えと自然の海流水の営みに依る海上海中部分に各々設置がされた各設備に海流水
2013238217.tif 000007
まず本「ドラム缶式回転うねり筒」の働きは、従来の流れ下る水を利用した回転扇利用、従来の高温高圧蒸気の噴射に依る各種蒸気タービンの高速回転等とは全く無縁の発電方法でり、全く前例の無い発電方法である。
まず海上喫水線下数ｍ部分より海水の取込口を設け、その取込口より海水の流入を行ない、その流入海水を「ドラム缶式回転うねり筒」（２本筒〜３本筒でも可）の設置を行ない、本設備は１番外側の「外筒」部分とそのすぐ内側部分に「内筒」部分を設置をし、その両筒の間に「回転ベアリング」を設置をし、当然この外筒、内筒の間は海中空間となる。
そして僅かの回転力の発生に依り内筒が回転する事となる。
次にその内筒内部に２本の「下方向に同回転方向にねじられたねじれ筒」の設置を行ない、当然このねじれ筒より排水される排海水は同じねじられた方向に排出される事となる。
そしてその各「ねじれ筒」内に侵入する海水量の調整は、各々うねり筒内えの流入量、停止、流入量差等々は上部
2013238217.tif 000008
又そのうねり筒各々の直径が数ｍ〜と大口の取込口であっても海水の流入量は簡単に調整が出来、各々うねり筒の最高の効率の良い太さと長さは、その発電量の目的等に依って計算を行ない、最良の太さと長さを見いだす事
2013238217.tif 000009
海中設置に依る浮力の活用の働きをより大きくする為に外筒と内筒部分の間の海中空間部分とその内筒部分内部に設置がされた各うねり筒内に出現する海水流入時に起こるであろう本「２本の各うねり筒」内を流れ下る侵入海水の落下重量に依る回転稼動が起こる事となり、２本の各うねり筒内の海中浮力空気が、２本の各うねり筒の回転と合わせて同方向にまず力の強い回転方向に必ず遠心力回転を始める事となる。そして数回でも回転が起これば、もうその回転は止める事は自然の回転稼動方向に依る遠心力の発生と回転の慣性力の発生等の自然方則に依り停止等は全く不可能な事となり、順次段々と流入侵入して来る海水も全て同じ回転方向に当然侵入回転が繰り返される事となり
2013238217.tif 000010
も本２本の各うねり筒の回転を助ける同方向に回転が必ず行なわれる事となり、各うねり筒内は全く同方向に流れ下る海水とその流れ下る海水の加速度を助けるが如く、各うねり筒内の強烈な回転主動体の作用を持つ海中空気である浮力の回転方向も全く同方向に流下侵入海水と同方向に回転が行なわれる事となり、内筒部分全体の回転と内部２本のうねり筒の重量回転稼動力とその内部を流れ下る侵入落下海水重量の海水落差重量等の落差移動に依る海中空間である海中浮力の移動も稼動回転力の中に溶け込むが如くの遠心力の発生となり、次々と回転遠心力を高めながら、下部排出方向えと回転排水が行なわれる事となる。
そして本海中発電設備は従来の各種蒸気タービン発電等の高圧蒸気等の発生は全く必要とせず、最大の狙いは回転軸の高速回転等は最初から全く必要としないものであり、自然発生的なゆったりとした継続回転を且つ自然を利用し、自然に負担を懸けないものであり、その重量感のある自然な継続回転力さえ得られれば、電気は瞬時に数千ｋｍと運ばれるものであり、各種回転ギアの連続駆動力さえ確保出来れば、いとも簡単に電気は簡単に出現するものであり、下敷きを頭でこすれば静電気が発生する事となる。
よって本「ドラム缶式回転うねり筒」の海中設置に依る各自然の法則を活用した海中発電設備。
【請求項２】
海上部分への「ドラム缶式回転うねり筒」に依る回転軸の延長による発電方法の具体例と、当然本海中発電に於ける排出方法にその「ドラム缶式回転うねり筒」内より流れ下って来た勾配角度の付いた勢いのある排水を再度排水処理の為に設置がされた「内側筒回転放出２本うねり筒」と「外筒回転放出流うねり扇」の内外の排出装置の排水活動の為に上記各排出装置の上部に「排水用回転扇」を設けその回転扇に上部「ドラム缶式回転うねり筒」より排出された海水が落差に依る高速流の流水排水の勢いを維持しながら、最終排出口部分の落差が設けられた排出口部分で回転渦流の発生を起こし乍ら「排水用回転扇」の連続回転稼動となり次々と排水が外海えと放出される事となる。
又停止時より連続排水迄の手順は当然停止時には「運転停止時海中船中遮断装置」Ａが完全に遮断がされる事に依り、深海海中部分よりの逆侵入は瞬時に停止がされる事となるが当然僅かな深海水圧の上昇は当然起こる事となる。
しかし、「運転停止時海中船中遮断装置」の閉鎖後にも多少の残った排水がその蓋の上部にしっかりと溜まる事となり、完全な下部部分よりの残った空気等の上昇を完全に止める事となり、当然深海海水の侵入上昇は完全に押さえ込まれる事となる。
そして再運転稼働時にはまず上部「排海水モーター（原動機）回転室」の稼働が行なわれ、連結された排水用回転扇の回転稼動に依り、順次段々と排水が行なわれ、ここで一番大切な海上大気圧部分よりの海水の侵入を本排水室（Ｈ）内にも充分な大気圧空間を創出さす為に「排海水モーター（原動機）回転室」の稼動とほぼ同時に（Ａ）部分の開扉を行ない、残った排海水が排水室（Ｈ）方向えと流下して行く事となり、その流下渦流回転力と「排海水モーター（原動機）回転室」の稼動との相乗効果に依り、次第に排水室（Ｈ）の排水の水位は下がって行く事となる。当然本排水室（Ｈ）内には船上部分からの大気圧が常時保たれている為に「排海水モーター（原動機）回転室」の稼働中であっても深海海水の逆噴入の動きも当然起こる事となるが、上部１気圧内からの連続した排水に依る排水量の増加と「排海水モーター（原動機）回転室」と「排水用回転扇」の渦流回転が重なった強力な回転力に依り、瞬時に排出力の方が強くなり次々と外海えと排水が放出される事となり、この排水行為が連続している間は全く深海海水の逆侵入は起こり得ない事となる。
そして再運転稼動時には排水室（Ｈ）内での決められた水位部分迄の上記２方式の排出装置の稼動に依り、低下が確認がされるとしっかりとした海中空間部分である大気圧（１気圧）部分の確実な確保となり、同時に海上部分海水取込口より「ドラム缶式回転うねり筒」内よりの海水が本排水室（Ｈ）部分の大気圧室内え次々と侵入排水が繰り返される事となる排水活用による排水装置。
【発明の詳細な説明】
【技術分野】
【０００１】  海上部分より海中部分に筒状の外筒内に内筒を設けその内筒内に設置がされた２本のうねり筒が海水の流入と落差に依り回転を行ないその回転に依る回転軸稼動を海上部分に伸長をし、その回転力を利用し発電を行なうと同時にその時に生じる排海水を利用し、回転扇発電を行ないその排海水を船外排出時に生じる回転渦流の働きを利用して同時に排水を行なう海水の落下水流の活用を行なう海中発電装置である。【０００２】  本発明は画期的な新技術であり将来より開発研究により大きく前進する事となる。【０００３】  以上の通り図１〜図５により説明する。【０００４】  陸上で水が高い処から低い処え流れ下る事は普通であり本申請装置はその高低差部分の外側部分に長い筒を設けその長筒内側部分に設置がされた２本のうねり筒が海水の侵入に依り回転を始めるとその回転力の活用に依り発電を行なう装置であり、ただ従来の普通の筒内を流れ下るだけでは無く「うねり筒」を設けその「うねり筒」内に海水が流れ下る事によりその「うねり筒」本体が大きく回転を始める事により、その回転筒の重容量と侵入した海水の双方の重量を回転稼動強力化として発電を行なうものであり、正に蒸気機関車の運転の如く次第にゆっくりと速度を上げ乍ら段々と爆走するが如く高速回転稼動が行なわれるものである。
又、いくら巨体の容器でも海中での回転は巨大な数十ｔの鯨が簡単に海中遊泳を行なうがごとく、又数百ｋｇの鮪が海中を時速１００ｋｍ近くで泳ぐが如く本回転筒が回転を始めると想像以上に重量感を感じさせずに高い稼動力が実現し、「ドラム缶式回転うねり筒」設置の外筒と内側筒の間は完全な空間が存在し、海中に於いての海中空間が出現し、よってより強力な浮力の存在となり、回転筒の主体である各うねり筒の回転に大きく寄与する事となる。【０００５】
【特許文献】特にありません。
【発明の概要】
【発明が解決しようとする課題】  従来の高温蒸気による回転扇発電とは全く違い「ドラム缶式回転うねり筒」の詳細な説明といかに強烈な発電装置であるかの確認と海中設置回転筒のより具体的な海上部分での発電方法と完壁な排水方法を考案したものであり本「ドラム缶式回転うねり筒」の本格設置が可能である事と、僅か数十ｍの水深設置でよく、又大切な排水処理に於いては上下各場所での大気圧（１気圧）を常時完全に確保を行ない、常時排海水と発電が完壁に行なわれる事を目指したものである。
【課題を解決するための手段】「ドラム缶式回転うねり筒」の巨大な筒（長筒）が果たして海中で本当に回転するかどうかという疑問はまず海水取込口部分の海上船は当然数本〜数十本の「ドラム缶式回転うねり筒」を横並びに設置を行ない巨大な海上容器船となり、そして勾配をつけて設置がされる下側排出口部分の海中船も海面下３０ｍ〜４０ｍ前後の水深であり、建造される長箱型の海中容器船であり、当然海上部分と継がっているものであり、正に陸上に設置される勾配のある長い筒である。
仮に従来の水車小屋等でみられる水車又は回転扇等の回転力等のみであれば大部分の水はただ流れ下るだけの力の利用となるが、本「ドラム缶式回転うねり筒」内に流れ
2013238217.tif 000003
筒内に流入継続が行なわれればまず同様の働きをする一升ビンよりお酒等を排出さす為に底部分を持って数回回転を加わえれば簡単に渦流を起こし乍ら排出される事は誰でも知っている事である。
2013238217.tif 000004
発生する事は自然現象であり、強烈な回転力が発生するであろう事が理解されるものである。
2013238217.tif 000005
多数のベアリング等の回転設置装置に依り、僅かの回転力で回転が行なわれる事は理解される。
そして上部海水取込口より大量の海水が継続して各うねり筒内に流入が起これば、その大量の海水は急速な勢いで流れ下りながら各ひねり筒内の内壁に必ず衝突を行ない乍ら流れ下るものであり、ひねり筒を同下方向に２本設置の為に、必ず交互に同方向に回転稼動が起こり強力な相乗効果力が出現する。
又その流入される海水には当然海上船内空間よりの空気の注入を同時に行ない円滑な流入を計るものでありその空気が強力な浮力の働きを当然する事となり、そして「ドラム缶式回転うねり筒」自体の重量とその内側に流入している海水の総重量は超重量級であるが正に蒸気機関車の運行運転とよく似ている運動回転となり、今度は回転を止める時には割と長い時間が必要となる事となる。
【発明の効果】  現在の蒸気タービン発電とは全く違う発電方法が考案されたものであり、海水に依る発電装置であるその為にエネルギー源は海中海水であり想像が出来ない厖大なエネルギーの発見となる。
【図面の簡単な説明】
【図１】「ドラム缶式回転うねり筒」の排出口部分と外筒に設置がされた内筒部分を回転補助装置に依り各うねり筒部分の回転を支えるものとする。
【図２】「ドラム缶式回転うねり筒」の海上面部分に設置がされた回転軸に各発電用回転ギアの設置図である。
【図３】下部部分の海中発電船の全体図であり上部海水取込口よりの海水の流入図と各々場所での各施設の配置図である
【図４】排出口部分各々の回転扇、２本うねり筒うねり扇等の設置図であり、同時に回転渦流の発生を行ない船外に排水を行なう回転式渦流排水詳細図である。
【図５】強力な浮力の活用に依る「外回転主力扇」の大規模な設置図と「ドラム缶式回転うねり筒」「回転扇発電」各々より生じる大量排水を２基の排出装置の設置に依る排水図である。
【発明を実施するための形態】
〔図１〕
内筒よりの排水口の図はまず海水取込口より海水の流入に伴う排水図であり、同時に海中部分での外筒と内筒の間の海中空間、２本のうねり筒内の各海中空間の出現とその排海水方法を描いた図であり、（図Ｈ）部分の図は外筒と内筒の間に回転ベアリング（２本うねり筒内蔵）の設置を行なった図であり、２本のうねり筒を内臓した内筒部分が外側筒の内側部分に設置がされた回転ベアリングに依り回転が行なわれる詳細図である。
〔図２〕
海上海中船内に設置された海水取込口よりの海水の流入路とその海水を２本の回転うねり筒内に流入さす事に依る回転力をその海上部分迄設置がされた回転軸の回転活動を各回転ギアに連結稼動を行ない各発電機の稼動を行なう設置図である。
〔図３〕
各うねり筒より排出される排海水をまず回転扇発電として活用し、その活用済の排海水を排水室（Ｈ）の上部部分に設置がされた排出口部分に集めその排海水の回転排出渦流の働きを「排出用回転扇」に集中排水を行ない乍ら下部に設置がされた各排出装置の働きに依り、排出を行なう排出装置全体図である。
〔図４〕
設置された排水装置「２本うねり筒」「放出流うねり扇」よりの排水を「外回転主力扇」装置の設置をする事に依り、より大量に且つ確実に排水が行なわれる事となり、「ドラム缶式回転うねり筒」装置の横並びが多数本設置の場合でも、本排水設備を増やせば排水には全く問題がない事を図に示したものであり、小規模な設備で充分大量の排水が可能である事を示した図となっている。
〔図５〕
海中発電で大切な排出方法で且つ大規模な排水も可能である事の詳細図であり、「ドラム缶式回転うねり筒」「回転扇発電」等より出る排水を海中船上部部分水槽内えの海中空間を含む船内貯溜槽えの放出は排水の船外排出時には当上部空間部分は減圧状態となる為に図内「空気注入口」部分より空気の注入を行ない減圧状態の解消と発電装置よりの排水の流入を行なうものである。
そして船内水槽内の大容量の排水も、排水時に於ける最下部海中空間部分への逆侵入噴出海水が生じる時は、排出口部分に本図の通り「排出水圧海中軽減喫水筒」の設置と「海中空間」の設置に依り深水圧の逆侵入噴出海水の逆侵入が大きく軽減される事となる。
まず船内に設置がされた各回転排出装置より次々と排海水が放出される事に依り瞬間的に排出水圧が高くなるが、最下部海中空間の設置に依る逆噴出侵入口の狭小とその海上空間部分に向けての逆噴出距離の確保となり、深海水圧部分が直接海中船排出口と継がっていれば、当然それなりの逆噴出力の出現となるが、上記海中空間装置と「排出水圧海中軽減喫水筒」の設置に依る深海水圧の逆侵入が大きく軽減される事となる。
その理由はまず「海中空間」の働きに依り、船中水槽内の排海水と深海外海海水は完全に隔離された状態となり、そして、継続して放出される排海水は「排出水圧海中軽減喫水筒」の働きにより外海排出口部分の深海水圧は、瞬間的な異状水圧となるが、瞬時に１点集中の強烈な水圧とはならずに、海中で泳ぐ巨大な鯨と同様に広い表面積での水圧の負荷が懸かる為に同時集中の強烈な噴出とはならず、本装置設置活用に依る海上部分に抜ける減水圧効果の活用となり、ほぼ普通の海水に還った排海水は順次「外回転主力扇」内に発生した強力渦回転流の中え溶け込む形で外海えと放出される事となる。
【図１】
2013238217.tif 000011
【図２】
2013238217.tif 000012
【図３】
2013238217.tif 000013
【図４】
2013238217.tif 000014
【図５】
2013238217.tif 000015